(57)【要約】      （修正有）【課題】自転車やバイクの車輪に取り付ける変色照明装置を提供する。【解決手段】照明部１は。中空本体１１の一端に透明或いは半透明のカバー１２を装着することで、照明器具１５２に生じた色光を投射することができる。また本体１１の別の一端は、エンドキャップ１３に連接し、電源供給ユニット１４を組立或いは交換するために、本体１１下方の開口を開く或いは閉じるようになっている。該本体１１内部は電源供給ユニット１４を設けて、電源を光源ユニット１５の回路板１５１に供給することで、連結した少なくとも照明器具１５２が点灯することができ、該回路板１５１に発振器（従来の技術であるため、詳述しない）を具えて、各照明器具１５２に点滅変化の効果を生じさせる。【選択図】図２
0003119587.tif 000002
【実用新案登録請求の範囲】
【請求項１】
回転物を用いた変色照明装置において、
本体の一端に透光カバーを装着し、別の一端にエンドキャップを取り付け、電源を光源ユニットの回路板に供給するため、該本体内部に電源供給ユニットを設けることで、少なくとも照明器具に連結し、また、電源開閉の制御を介することでこれら照明器具が点灯、或いは、消灯できる照明部と、
本体の横方向から少なくとも連接アームを延伸する連結部を含み、
該連接アームを回転物に装着し、照明部が回転物の上に固設することで、同期に回転を行い、その他照明器具の点灯、及び、回転によって、光と影のパターンに変化を生じることができることを特徴とする、回転物を用いた変色照明装置
【請求項２】
請求項１記載の回転物を用いた変色照明装置において、その本体とカバー及びエンドキャップの接続位置にそれぞれOリングを設けることを特徴とする、回転物を用いた変色照明装置。
【請求項３】
請求項１記載の回転物を用いた変色照明装置において、その光源ユニットが締め付け部品で回路板を貫通すると共に電源供給ユニット上部のリングに固定し、後方の止め輪を介して本体内の押さえ縁を押さえつけることで、電源供給ユニットを本体内に位置決め固定させることができることを特徴とする、回転物を用いた変色照明装置。
【請求項４】
請求項１記載の回転物を用いた変色照明装置において、その電源供給ユニットはフレームを具え、それぞれ少なくとも隔室に仕切られ、少なくとも乾電池収納と位置決め固定として提供され、且つ該フレームの外側表面に少なくともスライド溝を設け、本体の内壁に相対するスライドピンを突設することで、フレームが本体に滑り込んで位置決め固定することができることを特徴とする、回転物を用いた変色照明装置。
【請求項５】
請求項１記載の回転物を用いた変色照明装置において、その回路板の内部面に電源開閉を連結し、伸縮ロッドの一端と相互接続し、また別の一端が電源供給ユニット及びエンドキャップを通じ、ロッドキャップをスリーブ接続し、該ロッドキャップを押圧することで、伸縮ロッドを移動させて電源開閉に接触し、これにより照明器具に点灯或いは消灯させることを特徴とする、回転物を用いた変色照明装置。
【請求項６】
請求項５記載の回転物を用いた変色照明装置において、その伸縮ロッド先端のスプリング押さえと電源開閉の間にバネをスリーブ接続する。
【請求項７】
請求項１記載の回転物を用いた変色照明装置において、そのエンドキャップ内にエンドプレートを設け、電源供給ユニットのフレーム位置に相対するよう、それぞれ正極、負極を設けて、該エンドプレートに位置合わせするための位置決めピンを突設することで、フレームのピン溝に嵌挿させることを特徴とする、回転物を用いた変色照明装置。
【請求項８】
請求項１記載の回転物を用いた変色照明装置において、その照明器具は発光ダイオード（LED）とし、且つ数量を３個とし、色光がそれぞれ赤、青及び緑に分け、該回路板に発振器を設けることで、点滅などの変化を生じさせることができることを特徴とする、回転物を用いた変色照明装置。
【請求項９】
請求項１記載の回転物を用いた変色照明装置において、その連結部中央に嵌め輪を設けて、本体の輪溝にスリーブ接続し、嵌め輪両側のそれぞれが連接アームを延伸し、またその外側に設けた接合端を介して回転物を固装することを特徴とする、回転物を用いた変色照明装置。
【請求項１０】
請求項９記載の回転物を用いた変色照明装置において、その接合端に嵌合溝を開設し、その前後係止プレート内壁にそれぞれラッチを突設し、別の一端は接合端に前後挟持片間の縦方向に少なくとも挟持溝を開設し、そのた回転つまみを両挟持片外側において相対するようにねじ山を具えた挟持孔を開設し、嵌合溝の両ラッチを利用して車輪の任意のスポークを係止する。別の一端のスポークを挟持溝内に設置し、回転つまみで、両挟持片の張り具合を調整して、該スポークを挟持することを特徴とする、回転物を用いた変色照明装置。
【考案の詳細な説明】
【技術分野】
【０００１】
本考案は、変色照明装置に関り、特に回転物を用いた変色照明装置で、例えば自転車或いはバイク車輪のような回転物が回転した時、該変色照明装置が回転過程中において、多種に渡る光と影のパターン変化が生じ、且つ観賞及び警告機能を兼ね備えたものに関する。
【背景技術】
【０００２】
自転車或いはバイクは、人間の力或いは機械の力を利用して車輪を駆動させ、車輪の回転によって進むことができる。ただし夜間になり、自転車がバッテリー及び照明器具を備えていないと、バイクのような照明或いは警告機能を具えることができない。これにより、搭乗者側からすると、夜間に自転車に搭乗していると、常に潜在的な危険を伴うことになる。通常前記の危険を克服するため、搭乗者は警告のための反射ベストなどを着用し、車輌の光源を衣服に投射させた時に反射光の効果を発揮することができる。その他、業者も警告装置を開発している。それはサドル後方に取外し可能に取付け、開閉制御のための装置内に既設した照明器具を点灯或いは点滅させることで、後方の車輌に注意を促すことになる。該警告装置は、基本的な警告機能を得ることができるが、任意の光と影のパターンの変化を生じさせることができないため、いささか単調で且つありふれ、優秀なものであるがなお少しの欠点箇所がある。
【０００３】
その他、一般搭乗者は、車輪に装飾を施すため、スポークの間にアクセサリーシート或いは反射シートを取り付け、更にはスポーク上に多彩なビーズを通して車輪が回転した時、これらアクセサリーシート、反射シート或いはビーズがパターン変化の機能を発揮することで、装飾性の観賞効果を有する。しかし夜間或いは視界不良の場合、これらアクセサリーシート或いはビーズが車輪の回転によって生じる変化特性を観賞することができない。その原因を探求すると、これらアクセサリーシート或いはビーズが発光体でないため、光源が不足する状況下では、根本的にそのパターン変化を示すことができない。このため、警告と観賞効果の照明装置を如何にして一体化させて、例えば車輪のような回転物を回転させた時、基本的な照明警告機能を具える以外に、且つ回転過程中において光と影のパターンの変化を生じさせるようにすることが求められる課題となっていた。
【０００４】
これに鑑み、本考案の出願人は多年に渡る玩具及び電子装置の設計及び生産販売の経験を持って、前記の回転物を用いた警告装置或いは飾り物にあった欠陥を克服するため、再三再四の実験とテストを重ね、本考案である「回転物を用いた変色照明装置」を開発するに至った。
【考案の開示】
【考案が解決しようとする課題】
【０００５】
本考案の主要な目的は、回転物を用いた変色照明装置を提供することにあり、本体の一端に透光カバーを装着し、別の一端にエンドキャップを取り付け、電源を光源ユニットの回路板に供給するため、該本体内部に電源供給ユニットを設けることで、少なくとも照明器具に連結し、また電源開閉の制御を介することでこれら照明器具が点灯或いは消灯できる照明部と、本体の側面方向から少なくとも連接アームを延伸する連結部を含み、該連接アームを回転物に装着し、照明部が回転物の上に固設することで、同期に回転を行い、その他照明器具の点灯及び回転によって、光と影のパターンに変化を生じることができる。
【０００６】
本考案の別の目的は、回転物を用いた変色照明装置を提供することにあり、該光源ユニットが締め付け部品で回路板を貫通すると共に電源供給ユニット上部のリングに固定し、後方の止め輪を介して本体内の押さえ縁を押さえつけることで、電源供給ユニットを本体内に位置決め固定させることができる。更に、電源供給ユニットはフレームを具え、それぞれ少なくとも隔室に仕切られ、少なくとも乾電池収納と位置決め固定として提供され、且つ該フレームの外側表面に少なくともスライド溝を設け、本体の内壁に相対するスライドピンを突設することで、フレームが本体に滑り込んで位置決め固定することができる。
【０００７】
本考案のさらなる目的は、回転物を用いた変色照明装置を提供することにあり、該回路板の内部面に電源開閉を連結し、伸縮ロッドの一端と相互接続し、また別の一端が電源供給ユニット及びエンドキャップを通じ、ロッドキャップをスリーブ接続し、該ロッドキャップを押圧することで、伸縮ロッドを移動させて電源開閉に接触し、これにより照明器具に点灯或いは消灯させる。且つ該伸縮ロッド先端のスプリング押さえと電源開閉の間にバネをスリーブ接続する。
【０００８】
本考案のもう一つの目的は、回転物を用いた変色照明装置を提供することにあり、該照明器具は発光ダイオード（LED）とし、且つ数量を３個とし、色光がそれぞれ赤、青及び緑に分け、該回路板に発振器を設けることで、点滅などの変化を生じさせることができる。
【０００９】
本考案のまたもう一つの目的は、回転物を用いた変色照明装置を提供することにあり、該エンドキャップ内にエンドプレートを設け、電源供給ユニットのフレーム位置に相対するよう、それぞれ正極、負極を設けて、該エンドプレートに位置合わせするための位置決めピンを突設することで、フレームのピン溝に嵌挿させる。
【００１０】
本考案のさらなるもう一つの目的は、回転物を用いた変色照明装置を提供することにあり、該連結部中央に嵌め輪を設けて、本体の輪溝にスリーブ接続し、嵌め輪両側のそれぞれが連接アームを延伸し、またその外側に設けた接合端を介して回転物を固装する。更に、該接合端に嵌合溝を開設し、その前後係止プレート内壁にそれぞれラッチを突設し、別の一端は接合端に前後挟持片間の縦方向に少なくとも挟持溝を開設し、そのた回転つまみを両挟持片外側において相対するようにねじ山を具えた挟持孔を開設し、嵌合溝の両ラッチを利用して車輪の任意のスポークを係止する。別の一端のスポークを挟持溝内に設置し、回転つまみで、両挟持片の張り具合を調整して、該スポークを挟持する。
【実施例】
【００１１】
図１から図３を見ると、基本的に本考案の変色照明装置は、照明部１及び連結部２で組成されている。本考案で開示する回転物とは、自転車或いはバイクの車輪を指すものとするが、これだけに限定されることは無いものとし、人間の力或いは機械の力を利用して回転する物品として、例えばモータで駆動する広告回転盤も本考案に適用される回転物に属する。
【００１２】
照明部１は、中空本体１１の一端に透明或いは半透明のカバー１２を装着することで、照明器具１５２に生じた色光を投射することができる。また本体１１の別の一端はエンドキャップ１３に連接し、電源供給ユニット１４を組立或いは交換するために、本体１１下方の開口を開く或いは閉じるようになっている。該本体１１内部は電源供給ユニット１４を設けて、電源を光源ユニット１５の回路板１５１に供給することで、連結した少なくとも照明器具１５２が点灯することができ、また電源開閉１５３の制御を介して、これら照明器具１５２を点灯或いは消灯させることができる。
【００１３】
さらに図を見ると、本考案には防水効果を具えさせるため、本体１１とカバー１２及びエンドキャップ１３の接続位置にそれぞれOリング１６を設けることで、液封を形成する。その他、本考案は、電源供給ユニット１４及び光源ユニット１５をモジュール化させる。該光源ユニット１５を例えばねじような締め付け部品で回路板１５１を貫通すると共に電源供給ユニット１４上部のリング１４１を既設のねじ穴１４２に固定し、またその後方の止め輪１４３を介して本体１１内の押さえ縁１１１を押さえつけることで、電源供給ユニット１４を本体１１内に位置決め固定させることができる。該止め輪１４３の後方は、フレーム１４４を延伸し、それぞれ少なくとも隔室１４５に仕切られることで、少なくとも乾電池１４６収納と位置決め固定として提供され、電池が直列接続を形成させる。その外、フレーム１４４の外側表面に少なくともスライド溝１４７を設け、本体１１の内壁に相対するスライドピン１１２を突設することで、フレーム１４４が本体１１に滑り込んで位置決め固定することができ、該電源供給ユニット１４を本体１１内において回転させないようになる。
【００１４】
また該回路板１５１の内部面に連結した電源開閉１５３は、伸縮ロッド１５４の一端と相互接続し、別の一端が止め輪１４３及びエンドキャップ１３を通じて、ロッドキャップ１５７をスリーブ接続し、該ロッドキャップ１５７を押圧することで、伸縮ロッド１５４を移動させて電源開閉１５３に接触し、これにより照明器具１５２に点灯或いは消灯させる。更に該伸縮ロッド１５４先端のスプリング押さえ１５５と電源開閉１５３の間にバネ１５６をスリーブ接続することで、該伸縮ロッド１５４の位置復帰機能を自動にさせることができる。
【００１５】
更に電池直列接続効果を形成するため、該エンドキャップ１３内軸がエンドプレート１３１に接続し、フレーム１４４に相対する位置にそれぞれ正極、負極を設けるものとするが、これは従来の技術であるため、ここで詳述しないものとする。該エンドプレート１３１の考案特徴は、位置決めピン１３２を突設し、フレーム１４４に既設したピン溝１４８を嵌挿させることで、エンドキャップ１３が本体１１に装着する時、乾電池が正、負極と正確な位置合わせを保持することで、直列接続効果を形成する。その他、該エンドプレート１３１中央にロッド穴１３３を設けることで、伸縮ロッド１５４が貫通することに提供され、即ちロッドキャップ１５７とスリーブ接続する。
【００１６】
連結部２は、本体１１から横方向に少なくとも連接アーム２１が回転物に装着されるまで延伸し、照明部１が連結部２を介して回転物の上に固設することで、同期して回転する。図に示すとおり、該連結部２中央に嵌め輪２２を設け、本体１１の輪溝１１３にスリーブ接続し、また嵌め輪２２の両側に各自連接アームを延伸し、また本考案である変色照明装置が車輪と同時に回転するためにその外側に設けた接合端２３、２４を介して、例えば車輪の両スポーク間のような回転物の固定部に固装する。
【００１７】
図４を見ると、スピーディーな取り付け機能を得るため、その接合端２３に嵌合溝２３１を備え、その前後の係止プレート２３２内壁にそれぞれラッチ（投影角度のため描けなかった）を突設して、嵌合溝２３１の２つのラッチでスピーディーに車輪の任意のスポークに係止する。別の一端の接合端２４を前後挟持片２４１間の縦方向に少なくとも挟持溝２４２を設け、該第１スポークと隣り合う第２スポークを挟持溝２４２内に設置し、２つの挟持片の張り具合を調整するため、回転つまみ２４３で該２つの挟持片２４１の外側に相対するようにねじ山を持った挟持孔２４４を開設して螺合することで該第２スポークを挟持する。
【００１８】
更に図を見ると、該照明器具１５２を実施する時、発光ダイオード（LED）であることが望ましく、省エネ及び異なる波長の色光の長所を利用するため、本考案を実施する時、該照明器具１５２が３個であるのが望ましく、その色光がそれぞれ赤、青及び緑に分かれる。その他異となるパターン変化の効果を現すため、該回路板１５１に発振器（従来の技術であるため、詳述しない）を具えて、各照明器具１５２に点滅変化の効果を生じさせることで、呈するパターンが図５に示す１２種類の変化効果である。
【００１９】
本考案の実施を介することで、該変色照明装置は連結部を通じてスピーディーに該照明部を例えば車輪の両スポークの間のような回転物に固設する。ロッドキャップを押圧すると、該伸縮ロッドが電源開閉に接触して、照明器具に点滅させることができる。車輪を人間の力或いは機械の力で回転させた時、該変色照明装置は、車輪と共に同時に回転し、これら照明器具は波長の差異及び点滅を介し、更に図５に示すような環状パターンの変化を生じる。これにより、これら動的パターンの変化により、車輪上に極めて良好な観賞効果が形成され、その他光源の散乱特性によって、後方から来た車に車輪の両側で動的な散乱光を介して警告の機能を具えさせることで、未だかつて見たことの無い最適な構造となる。
【００２０】
本考案に開示したものは、好ましい実施例であり、各種の局部的な改変或いは修飾について、本考案の技術精神に基づき、この技術を熟知している任意のものが、容易に推察できるものも本考案の実用新案登録請求の範囲に属するものとする。
【００２１】
前記をまとめると、本考案は目的、手段と効果について、従来の技術特徴ととは異なり実用新案権登録の法定要件を満たしているので法律に則ってここに申請する。審査委員の皆様の詳細なる審査を受け、一日も早く登録していただくよう切に願います。
【図面の簡単な説明】
【００２２】
【図１】本考案である変色照明装置の立体分解図である。
【図２】本考案組立後の断面図である。
【図３】本考案組立後の立体図である。
【図４】本考案を回転物に取り付けた後の見取図である。
【図５】回転物が回転する時、該変色照明装置が発する各種光と影のパターンの見取図である。
【符号の説明】
【００２３】
１  照明部
１１  本体
１１１  押さえ縁
１１２  スライドピン
１１３  輪溝
１２  カバー
１３  エンドキャップ
１３１  エンドプレート
１３２  位置決めピン
１３３  ロッド穴
１４  電源供給ユニット
１４１  リング
１４２  ねじ穴
１４３  止め輪
１４４  フレーム
１４５  隔室
１４６  乾電池
１４７  スライド溝
１４８  ピン溝
１５  光源ユニット
１５１  回路板
１５２  照明器具
１５３  電源開閉
１５４  伸縮ロッド
１５５  スプリング押さえ
１５６  バネ
１５７  ロッドキャップ
１６  Oリング
２  連結部
２１  連接アーム
２２  嵌め輪
２３  接合端
２３１  嵌合溝
２３２  係止プレート
２４  接合端
２４１  挟持片
２４２  挟持溝
２４３  回転つまみ
２４４  挟持孔
【図１】
0003119587.tif 000003
【図２】
0003119587.tif 000004
【図３】
0003119587.tif 000005
【図４】
0003119587.tif 000006
【図５】
0003119587.tif 000007
【手続補正書】
【提出日】平成17年12月16日(2005.12.16)
【手続補正１】
【補正対象書類名】図面
【補正対象項目名】全図
【補正方法】変更
【補正の内容】
【図１】
0003119587.tif 000008
【図２】
0003119587.tif 000009
【図３】
0003119587.tif 000010
【図４】
0003119587.tif 000011
【図５】
0003119587.tif 000012